(57)【特許請求の範囲】
【請求項１】
対向する前面板及び背面板を有した筒状の胴部と、前記胴部の底面を閉じる底面部と、前記前面板に連設して前記胴部の天面を覆う第１天面板と、前記背面板から折曲して第１天面板の上面を覆う第２天面板と、第２天面板の前端から折曲して前記前面板上に接着される被覆板とを備え、前記被覆板の破断により第２天面板と一体に開閉する外蓋部と、前記前面板及び第１天面板の破断により前記胴部の上面を開閉する内蓋部とを形成して開封される収納箱において、
外側基材層、バリア層及び内側基材層が外側から内側に向かって順に積層されたブランク板で形成され、
前記バリア層は、水分の透過を防止するフィルムで形成され、
前記第２天面板は、前記第１天面板に対して非接着であり、
前記外蓋部が前記被覆板上の下端に摘持部を有するとともに前記摘持部の上方で前記内蓋部に接着され、前記摘持部を介して前記外蓋部が破断により開かれた際に前記内蓋部が前記前面板及び第１天面板上の外面側から切り込まれた第１ハーフカット線と、第１ハーフカット線よりも内側で前記前面板及び第１天面板上の内面側から切り込まれた第２ハーフカット線との間の剥離により破断され、
第１ハーフカット線は、前記バリア層に達しないように、前記外側基材層に形成され、
第２ハーフカット線は、前記バリア層に達しないように、前記内側基材層に形成され、
前記摘持部に近接して前記前面板上の第１ハーフカット線及び第２ハーフカット線の下端を含む開封開始部の第１ハーフカット線と第２ハーフカット線との距離が、前記開封開始部を除く第１ハーフカット線と第２ハーフカット線との距離よりも小さいことを特徴とする収納箱。
【請求項２】
開封後の前記内蓋部の閉状態を保持する蓋保持部を備えたことを特徴とする請求項１に記載の収納箱。
【請求項３】
前記蓋保持部は、左右に延びる前記開封開始部の両端部から前記前面板上の上下に延びた第１ハーフカット線と第２ハーフカット線との間に開封により形成される挿入部と、前記内蓋部と前記外蓋部との間に形成されて前記挿入部が挿入される隙間部とを有することを特徴とする請求項２に記載の収納箱。
【請求項４】
前記被覆板は、前記摘持部の両側縁に上下に延びて形成したミシン目から成る一対の第１切断部と、各第１切断部の上端から上方に行くほど互いに離れる方向に傾斜するミシン目から成る一対の第２切断部とを有し、
第１切断部を上方に延長した延長線上に第２切断部に連結される切込みを設けたことを特徴とする請求項１〜請求項３のいずれかに記載の収納箱。
【請求項５】
前記被覆板と第２天面板との境界の両側端部に切欠き部を設けるとともに、
前記被覆板が、前記摘持部の両側縁に上下に延びて形成したミシン目から成る一対の第１切断部と、各第１切断部の上端と前記切欠き部とを連結するミシン目から成る一対の第２切断部とを有することを特徴とする請求項１〜請求項３のいずれかに記載の収納箱。
【請求項６】
第２ハーフカット線が波形に形成されることを特徴とする請求項１〜請求項５のいずれかに記載の収納箱。
【請求項７】
第１天面板上の第１ハーフカット線及び第２ハーフカット線が外側に凸に形成されることを特徴とする請求項１〜請求項６のいずれかに記載の収納箱。
【請求項８】
前記前面板の外面上に前記摘持部に対向する凹部を設けたことを特徴とする請求項１〜請求項７のいずれかに記載の収納箱。
【請求項９】
前記外蓋部が前記摘持部の上方の外面上に突起部を有することを特徴とする請求項１〜請求項８のいずれかに記載の収納箱。
【発明の詳細な説明】
【技術分野】
【０００１】
本発明は、前面上部及び天面の破断により開封される収納箱に関する。
【背景技術】
【０００２】
従来の収納箱は特許文献１に開示されている。この収納箱はバリア層の両面に紙層を有したブランク板により形成される。収納箱は対向する前面板及び背面板を有した筒状の胴部の天面が第１天面板により覆われ、底面が底面板により覆われる。また、収納箱は背面板の上端から折曲して第１天面板の上面を覆う第２天面板を有し、第２天面板の前端から折曲した被覆板が前面板上に接着される。
【０００３】
被覆板上には下端から左右に広がって上方に延びる左右一対のミシン目からなる切断部が設けられる。被覆板の切断部間の下端には前面板に非接着の摘持部が形成され、切断部の両側方が前面板に接着される。摘持部を摘持して引くと被覆板が切断部で破断され、被覆板の上部と第２天面板とを一体に開閉する外蓋部が形成される。
【０００４】
前面板上及び第１天面板上にはバリア層に到達しない第１ハーフカット線及び第２ハーフカット線が設けられる。第１ハーフカット線は前面板及び第１天面板の外面側から切り込まれ、第１天面板、前面板、第１天面板を順に通る半環状に形成される。第２ハーフカット線は前面板及び第１天面板の内面側から切り込まれ、第１ハーフカット線よりも内側で第１ハーフカット線に沿った半環状に形成される。また、前面板は第２ハーフカット線の内側で被覆板の外蓋部が形成される領域の摘持部よりも上方に接着される。
【０００５】
被覆板を破断して外蓋部を開くと、外蓋部に接着される前面板の上部及び第１天面板が第１ハーフカット線と第２ハーフカット線との間の剥離により破断される。これにより、胴部の上面を開閉する内蓋部が形成され、外蓋部及び内蓋部を開いて収納箱が開封される。使用者は開封後の収納箱から胴部の上面を介して内容物を取り出すことができる。
【先行技術文献】
【特許文献】
【０００６】
【特許文献１】特許第４４９０４９０号公報（第１１頁、第１２頁、第５図、第６図）
【発明の概要】
【発明が解決しようとする課題】
【０００７】
しかしながら、上記従来の収納箱によると、第１ハーフカット線と第２ハーフカット線との距離が小さいと、内容物の収納時や輸送時の衝撃等により第１ハーフカット線と第２ハーフカット線との間で一部に剥離が生じる場合がある。このため、収納箱のバリア性が悪くなる問題があった。一方、第１ハーフカット線と第２ハーフカット線との距離が大きいと、摘持部を摘持して上方に引いた際に第１ハーフカット線と第２ハーフカット線との間で剥離が生じにくくなる。このため、収納箱を容易に開封することができず、収納箱の利便性が悪くなる問題があった。
【０００８】
本発明は、バリア性の低下を防止して利便性を向上できる収納箱を提供することを目的とする。
【課題を解決するための手段】
【０００９】
上記目的を達成するために本発明は、対向する前面板及び背面板を有した筒状の胴部と、前記胴部の底面を閉じる底面部と、前記前面板に連設して前記胴部の天面を覆う第１天面板と、前記背面板から折曲して第１天面板の上面を覆う第２天面板と、第２天面板の前端から折曲して前記前面板上に接着される被覆板とを備え、前記被覆板の破断により第２天面板と一体に開閉する外蓋部と、前記前面板及び第１天面板の破断により前記胴部の上面を開閉する内蓋部とを形成して開封される収納箱において、
前記外蓋部が前記被覆板上の下端に摘持部を有するとともに前記摘持部の上方で前記内蓋部に接着され、前記摘持部を介して前記外蓋部が破断により開かれた際に前記内蓋部が前記前面板及び第１天面板上の外面側から切り込まれた第１ハーフカット線と、第１ハーフカット線よりも内側で前記前面板及び第１天面板上の内面側から切り込まれた第２ハーフカット線との間の剥離により破断され、
前記摘持部に近接して前記前面板上の第１ハーフカット線及び第２ハーフカット線の下端を含む開封開始部の第１ハーフカット線と第２ハーフカット線との距離が、前記開封開始部を除く第１ハーフカット線と第２ハーフカット線との距離よりも小さいことを特徴としている。
【００１０】
この構成によると、胴部内に内容物が収納される。第１ハーフカット線と第２ハーフカット線との間の剥離により内蓋部及び外蓋部が形成され、収納箱が開封される。使用者は内蓋部及び外蓋部を開いて、胴部の天面を介して胴部内の内容物を取り出すことができる。
【００１１】
また本発明は、上記構成の収納箱において、開封後の前記内蓋部の閉状態を保持する蓋保持部を備えると好ましい。
【００１２】
また本発明は、上記構成の収納箱において、前記蓋保持部は、左右に延びる前記開封開始部の両端部から前記前面板上の上下に延びた第１ハーフカット線と第２ハーフカット線との間に開封により形成される挿入部と、前記内蓋部と前記外蓋部との間に形成されて前記挿入部が挿入される隙間部とを有すると好ましい。
【００１３】
また本発明は、上記構成の収納箱において、前記被覆板は、前記摘持部の両側縁に上下に延びて形成したミシン目から成る一対の第１切断部と、各第１切断部の上端から上方に行くほど互いに離れる方向に傾斜するミシン目から成る一対の第２切断部とを有し、第１切断部を上方に延長した延長線上に第２切断部に連結される切込みを設けると好ましい。
【００１４】
また本発明は、上記構成の収納箱において、前記被覆板と第２天面板との境界の両側端部に切欠き部を設けるとともに、前記被覆板が、前記摘持部の両側縁に上下に延びて形成したミシン目から成る一対の第１切断部と、各第１切断部の上端と前記切欠き部とを連結するミシン目から成る一対の第２切断部とを有すると好ましい。
【００１５】
また本発明は、上記構成の収納箱において、第２ハーフカット線が波形に形成されると好ましい。
【００１６】
また本発明は、上記構成の収納箱において、第１天面板上の第１ハーフカット線及び第２ハーフカット線が外側に凸に形成されると好ましい。
【００１７】
また本発明は、上記構成の収納箱において、前記前面板の外面上に前記摘持部に対向する凹部を設けると好ましい。
【００１８】
また本発明は、上記構成の収納箱において、前記外蓋部が前記摘持部の上方の外面上に突起部を有すると好ましい。
【発明の効果】
【００１９】
本発明によると、摘持部に近接して前面板上の第１ハーフカット線及び第２ハーフカット線の下端を含む開封開始部の第１ハーフカット線と第２ハーフカット線との距離が、開封開始部を除く第１ハーフカット線と第２ハーフカット線との距離よりも小さい。これにより、使用者が摘持部を摘持して上方に引くと、開封開始部の第１ハーフカット線と第２ハーフカット線との間で容易に剥離が生じて収納箱が開封される。また、開封開始部を除く第１ハーフカット線と第２ハーフカット線との間では収納箱の開封前に第１ハーフカット線と第２ハーフカット線との間での剥離を防止することができる。したがって、収納箱のバリア性の低下を防止して利便性を向上させることができる。
【図面の簡単な説明】
【００２０】
【図１】本発明の第１実施形態の開封前の収納箱を示す斜視図
【図２】本発明の第１実施形態の収納箱のブランク板を示す展開図
【図３】本発明の第１実施形態の収納箱のブランク板を示す側面断面図
【図４】本発明の第１実施形態の収納箱の胴部を扁平に押し潰した状態を示す正面図
【図５】本発明の第１実施形態の開封後の収納箱を示す斜視図
【図６】本発明の第１実施形態のリクローズ後の収納箱を示す斜視図
【図７】本発明の第１実施形態のリクローズ時の収納箱の蓋保持部を示す上面断面図
【図８】本発明の第２実施形態の開封前の収納箱を示す斜視図
【図９】本発明の第２実施形態の収納箱のブランク板を示す展開図
【図１０】本発明の第２実施形態のリクローズ後の収納箱を示す斜視図
【図１１】本発明の第３実施形態の開封前の収納箱を示す斜視図
【図１２】本発明の第３実施形態の収納箱のブランク板を示す展開図
【図１３】本発明の第３実施形態のリクローズ後の収納箱を示す斜視図
【図１４】本発明の第４実施形態の開封前の収納箱を示す斜視図
【図１５】本発明の第４実施形態のリクローズ後の収納箱を示す斜視図
【図１６】本発明の第５実施形態の開封前の収納箱を示す斜視図
【発明を実施するための形態】
【００２１】
＜第１実施形態＞
以下に本発明の実施形態を図面を参照して説明する。図１は第１実施形態の開封前の収納箱の斜視図を示している。収納箱１は一のブランク板１００（図２参照）により形成される。収納箱１は筒状の胴部１０の天面が第１天面板２により覆われ、底面が底面板４（底面部、図２参照）により覆われる。胴部１０内には粉状の洗剤から成る内容物（不図示）が収納される。なお、本実施形態では内容物として粉状の洗剤を用いているが、内容物に特に限定はない。胴部１０は上端及び下端にそれぞれ開口面１０ａ（図５参照）及び開口面１０ｂ（不図示）を有する。第１天面板２は上方の開口面１０ａを閉じ、底面板４は下方の開口面１０ｂを閉じる。
【００２２】
胴部１０は対向する前面板３及び背面板５（図２参照）を両側方の側面部８及び側面部９（図５参照）により連結して形成される。これにより、胴部１０は水平断面が略矩形に形成される。背面板５の上端には折り線１１０（図２参照）を介して第２天面板６が連設される。第２天面板６は背面板５に対して折曲可能であり、第１天面板２の上面を覆う。第２天面板６の前後方向の中央部には左右方向に延びる折り線１１０から成る可曲部６１が設けられる。
【００２３】
また、前面板３と第１天面板２との間及び底面板４と背面板５との間には、胴部１０の左右方向に延びる折り線１１０から成る折り畳み部２３、４５（図２参照）がそれぞれ設けられる。
【００２４】
第２天面板６の前端には折り線１１０を介して被覆板７が連設される。被覆板７は第２天面板６に対して折曲可能に形成され、接着剤等により前面板３に接着される。なお、第２天面板６は第１天面板２に接着されていない。
【００２５】
被覆板７の左右方向の中央部の下端部には摘持部７５が設けられる。被覆板７はミシン目から成る一対の第１切断部７１と、ミシン目から成る一対の第２切断部７２とを有する。一対の第１切断部７１は摘持部７５の両側縁に形成されるとともに互いに対向して上下に延びる。一対の第２切断部７２は第１切断部７１の上端から上方に行くほど互いに離れる方向に傾斜して延びる。第１切断部７１と第２切断部７２とはミシン目の切込みにより連結されている。これにより、第２切断部７２は第１切断部７１に連続して形成される。
【００２６】
第１切断部７１を上方に延長した延長線上の被覆板７上には第２切断部７２に連結される切込み７３が形成される。被覆板７と第２天面板６との境界の両側端部には切欠き部６７が設けられ、切欠き部６７から第２切断部７２が延びている。これにより、第２切断部７２は第１切断部７１の上端と切欠き部６７とを連結する。
【００２７】
摘持部７５は第１切断部７１と第２切断部７２との間の下端に前面板３に非接着に形成される。被覆板７は第１切断部７１及び第２切断部７２の両側方で前面板３に接着剤等で接着される。また、被覆板７は摘持部７５の上方で前面板３の後述の内蓋部２０（図５参照）が形成される領域に接着剤３００で接着されている。
【００２８】
被覆板７の左右方向の中央部の外面上には複数（本実施形態では３個）の突起部７４が設けられる。突起部７４は摘持部７５の上方の外面上で左右方向に延びて形成される。
【００２９】
前面板３の外面上で摘持部７５に対向する位置には凹部３１が凹設される。これにより、使用者は摘持部７５を容易に摘持することができる。
【００３０】
また、胴部１０内に収納される商品等の内容物に関する絵や文字等の図柄を前面板３及び被覆板７の前面に印刷することにより、内容物の説明や広告を行うことができる。なお、前面板３及び被覆板７の前面に図柄を印刷したシートを貼着してもよい。
【００３１】
側面部８は側面フラップ８２、８３、８４、８５により形成される。側面部９は側面フラップ９２、９３、９４、９５（いずれも図２参照）により形成される。
【００３２】
図２は収納箱１の展開図を示している。図３はブランク板１００の側面断面図を示している。収納箱１を形成するブランク板１００は複合シート１０１を打ち抜いて形成される。複合シート１０１は外側基材層１１、バリア層１２及び内側基材層１３が外側から内側に向かって順に積層される。
【００３３】
外側基材層１１は例えば厚さ約３１０μｍ（坪量３５０ｇ／ｍ２）のコートボール紙により形成される。バリア層１２は例えば厚さ約２０μｍのポリエチレンフィルムにより形成され、水分の透過を防止する。これにより、開封前の収納箱１の内容物に対する防湿性を向上させることができる。内側基材層１３は例えば厚さ約６０μｍ（坪量７０ｇ／ｍ２）のクラフト紙により形成される。クラフト紙によりブランク板１００の剛性を向上させることができる。外側基材層１１、バリア層１２及び内側基材層１３は共押出し等により積層される。これにより、本実施形態のブランク板１００の厚みは約３９０μｍになっている。
【００３４】
なお、外側基材層１１及び内側基材層１３としてマニラボールやカード紙等を用いてもよい。また、バリア層１２は水分の透過を防止できればよく、例えばポリプロピレンフィルム等により形成されてもよい。
【００３５】
第１天面板２、前面板３、底面板４、背面板５、第２天面板６及び被覆板７は折り線１１０を介して順に連設され、第１天面板２の後端（図２において上端）には糊代フラップ２５が折り線１１０を介して連設される。第１天面板２、前面板３、底面板４及び背面板５の右端にはそれぞれ側面フラップ８２、８３、８４、８５が折り線１１０を介して連設される。第１天面板２、前面板３、底面板４及び背面板５の左端にはそれぞれ側面フラップ９２、９３、９４、９５が折り線１１０を介して連設される。
【００３６】
第１天面板２の左右端部及び前面板３の上部には第１ハーフカット線２１及び第２ハーフカット線２２が形成される。第１天面板２上の第１ハーフカット線２１及び第２ハーフカット線２２は外側に凸に形成される。
【００３７】
第１ハーフカット線２１は第１天面板２及び前面板３の外面側からブランク板１００の厚さ方向に途中まで切り込まれる。第１ハーフカット線２１は第１天面板２、前面板３、第１天面板２を順に通る半環状に形成される。第２ハーフカット線２２は前面板３及び第１天面板２の内面側からブランク板１００の厚さ方向に途中まで切り込まれ、第１ハーフカット線２１よりも内側で第１ハーフカット線２１に沿った半環状に形成される。また、第２ハーフカット線２２は波形に形成される。
【００３８】
図３に示すように、第１ハーフカット線２１及び第２ハーフカット線２２はバリア層１２に到達しないように形成される。これにより、第１ハーフカット線２１及び第２ハーフカット線２２を設けても収納箱１の内容物に対する防湿性を確保することができる。
【００３９】
第１ハーフカット線２１及び第２ハーフカット線２２は前面板３上の凹部３１の上端の近傍で凹部３１に対向して水平方向に延びる。水平方向に延びる第１ハーフカット線２１と第２ハーフカット線２２との間の領域（第１ハーフカット線２１及び第２ハーフカット線２２の下端を含む）は後述の収納箱１の開封時に開封が開始される開封開始部３５を構成する。開封開始部３５は前面板３上で摘持部７５に近接して配される。
【００４０】
前面板３上の第１ハーフカット線２１及び第２ハーフカット線２２は左右に延びる開封開始部３５の左右端から上方に延びた後に左右の第１ハーフカット線２１は上方に行くほど互いに離れる方向に傾斜して延びるとともに左右の第２ハーフカット線２２は上方に行くほど互いに離れる方向に傾斜して延びる。そして、前面板３上の第１ハーフカット線２１及び第２ハーフカット線２２は前面板３の上端で第１天面板２上の第１ハーフカット線２１及び第２ハーフカット線２２にそれぞれ接続される。これにより、前面板３上の第１ハーフカット線２１及び第２ハーフカット線２２は第１天面板２上の第１ハーフカット線２１及び第２ハーフカット線２２にそれぞれ連続している。
【００４１】
開封開始部３５の第１ハーフカット線２１と第２ハーフカット線２２との距離Ｄ２は、開封開始部３５を除く第１ハーフカット線２１と第２ハーフカット線２２との距離Ｄ１よりも小さくなっている。本実施形態では距離Ｄ１、Ｄ２はそれぞれ約４ｍｍ、約２ｍｍになっている。上面視で第１ハーフカット線２１と第２ハーフカット線２２とは重なっていないため、第１ハーフカット線２１及び第２ハーフカット線２２の形成時に第１ハーフカット線２１と第２ハーフカット線２２との貫通を防止することができる。
【００４２】
凹部３１はプレス等により前面板３の前面（外面）を押圧して形成される。被覆板７上には第１切断部７１、第２切断部７２及び切込み７３が形成される。突起部７４は被覆板７の内面側から外面側に向けてプレス等により押圧されて形成される。
【００４３】
側面フラップ８２、９２、８４、９４上の前面板３の近傍には凸部１２０がそれぞれ形成される。各凸部１２０はそれぞれ側面フラップ８２、９２、８４、９４の内面側から外面側に向けてプレス等により押圧されて形成される。
【００４４】
側面フラップ８２、９２、８４、９４上の前面板３から離れた側には上下方向（図２において左右方向）に延びるハーフカットのミシン目から成る複数（本実施形態では５本）の接着剤保持部１３０が形成される。
【００４５】
側面フラップ８５、９５の前端部（図５においてそれぞれ右端部及び左端部）には前後方向に延びるハーフカットのミシン目から成る複数（本実施形態では１７本）の接着剤保持部１３１が形成される。接着剤保持部１３１は側面フラップ８５、９５の上端部から下端部にわたって配され、後述の側面部８、９の形成時に前後方向の中央部に配される。
【００４６】
次に収納箱１の形成方法について説明する。図２のブランク板１００において、第１天面板２及び底面板４が折り線１１０を介して前面板３の内面側に向けて折り曲られ、背面板５が折り線１１０を介して底面板４の内面側に向けて折り曲られる。そして、糊代フラップ２５が折り線１１０を介して第１天面板２の内面側に向けて折り曲げられ、糊代フラップ２５の外面と背面板５の上端部の内面とが接着剤で貼り合わされる。
【００４７】
そして、第２天面板６が折り線１１０を介して第１天面板２上に重なるように折り曲げられるとともに、被覆板７が前面板３の上部に重なるように折り線１１０を介して折り曲げられる。その後に、被覆板７が接着剤を介して前面板３の上部の外面に接着される。この時、摘持部７５の上方に近接した前面板３の第２ハーフカット線２２間の領域は接着剤３００で被覆板７に接着される。なお、第２天面板６は第１天面板２に対して非接着になっている。
【００４８】
これにより、胴部１０の両側面が開いた状態の収納箱１が形成される。そして、図４に示すように、折り畳み部２３、４５の折曲により収納箱１が扁平に押し潰される。この時、第１天面板２と前面板３とが近接して対向するとともに底面板４と背面板５とが近接して対向する。
【００４９】
収納箱１は扁平に押し潰された容積の小さい状態（折り畳み体）で輸送や保管が行われる。これにより、収納箱１の輸送コスト及び保管コストを削減することができる。
【００５０】
胴部１０内に内容物が収納される場所において、扁平に押し潰された状態の収納箱１は包装機（不図示）にセットされる。包装機は図４の状態から折り畳み部２３、４５を互いに接近する方向に押さえる。これにより、第１天面板２、第２天面板６及び底面板４が前面板３及び背面板５に対して略垂直になるように胴部１０が起こされる。
【００５１】
その後に、側面フラップ９２、９４が折り線１１０を介してそれぞれ第１天面板２及び底面板４の内面側に向かって折り曲られる。側面フラップ９２、９４の接着剤保持部１３０に接着剤が塗布された後に、側面フラップ９５が側面フラップ９２、９４上に重なるように折り線１１０で折り曲げられる。そして、側面フラップ９５の接着剤保持部１３１に接着剤が塗布された後に、側面フラップ９３が側面フラップ９５上に重なるように折り線１１０で折り曲げられる。これにより、側面フラップ９２、９４が接着剤で側面フラップ９５に接着されるとともに側面フラップ９３が接着剤で側面フラップ９５に接着され、側面部９が形成される。この時、胴部１０の左側面が閉じられる。
【００５２】
その後に、胴部１０の右側面を上にして右側面の開口（不図示）を介して内容物が胴部１０内に収納される。
【００５３】
内容物の胴部１０内への収納後に、側面フラップ８２、８４が折り線１１０を介してそれぞれ第１天面板２及び底面板４の内面側に向かって折り曲られる。側面フラップ８２、８４の接着剤保持部１３０に接着剤が塗布された後に、側面フラップ８５が側面フラップ８２、８４に重なるように折り線１１０で折り曲げられる。そして、側面フラップ８５の接着剤保持部１３１に接着剤が塗布された後に、側面フラップ８３が側面フラップ８５上に重なるように折り線１１０で折り曲げられる。これにより、側面フラップ８２、８４が接着剤で側面フラップ８５に接着されるとともに側面フラップ８３が接着剤で側面フラップ８５に接着され、側面部８が形成される。以上により、胴部１０の右側面が閉じられ、図１に示すように内容物が収納された収納箱１が形成される。
【００５４】
この時、接着剤保持部１３０により接着剤が側面フラップ８２、８４、９２、９４上に容易に保持されるとともに、接着剤保持部１３１により接着剤が側面フラップ８５、９５上に容易に保持される。これにより、側面部８、９を確実に形成することができる。また、凸部１２０によって側面フラップ９２、９４と側面フラップ９３との間の隙間及び側面フラップ８２、８４と側面フラップ８３との間の隙間を低減することができる。
【００５５】
なお、側面部８を形成して胴部１０内に内容物を収納した後に側面部９を形成してもよい。
【００５６】
図５は開封後の収納箱１の斜視図を示している。収納箱１に内容物が収納された商品を購入した使用者等が摘持部７５を摘持して上方に引くと、第１切断部７１及び第２切断部７２（いずれも図１参照）に沿って被覆板７が破断される。この時、第１ハーフカット線２１と第２ハーフカット線２２との間の剥離により破断面ＢＲ（図３参照）が形成され、前面板３の上部及び第１天面板２が破断して開口面１０ａが形成される。これにより、前面板３の上部及び第１天面板２の破断により胴部１０の上面を開閉する内蓋部２０が形成される。また、被覆板７の破断により第２天面板６と一体に開閉する外蓋部６０が形成される。この結果、収納箱１が開封され、使用者は開口面１０ａを介して胴部１０内から内容物を取り出すことができる。この時、摘持部７５は外蓋部６０上に配され、外蓋部６０は摘持部７５の上方で接着剤３００により内蓋部２０に接着されている。また、突起部７４は外蓋部６０の摘持部７５の上方の外面上に配される。
【００５７】
この時、摘持部７５に近接した前面板３上の開封開始部３５の第１ハーフカット線２１と第２ハーフカット線２２との距離Ｄ２（図２参照）が、開封開始部３５を除く第１ハーフカット線２１と第２ハーフカット線２２との距離Ｄ１（図２参照）よりも小さい。これにより、使用者が摘持部７５を摘持して上方に引くと、開封開始部３５の第１ハーフカット線２１と第２ハーフカット線２２との間で容易に剥離が生じ、外側基材層１１（図３参照）のみの剥離等を防止することができる。したがって、収納箱１を容易に開封することができ、収納箱１の利便性を向上させることができる。
【００５８】
また、前面板３の外面上に摘持部７５に対向する凹部３１を設けているため、使用者は摘持部７５を容易に摘持することができる。
【００５９】
また、第１切断部７１を上方に延長した延長線上に第２切断部７２に連結される切込み７３（図１参照）を設けている。これにより、摘持部７５を上方に引いた際に被覆板７を第２切断部７２に沿って確実に破断することができる。したがって、第２切断部７２から外れた破断による内蓋部２０及び外蓋部６０の損傷を防止することができる。
【００６０】
また、被覆板７と第２天面板６との境界の両側端部には切欠き部６７が設けられ、第２切断部７２は第１切断部７１の上端と切欠き部６７とを連結する。これにより、第１切断部７１及び第２切断部７２に沿った被覆板７の破断後に第１天面板２上の第１ハーフカット線２１及び第２ハーフカット線２２に沿って第１天面板２が円滑に破断される。したがって、第１ハーフカット線２１及び第２ハーフカット線２２から外れた第１天面板２の破断を防止し、第１天面板２上の第１ハーフカット線２１の外側での孔の発生を防止することができる。
【００６１】
また、第２天面板６は第１天面板２に接着されていないため、収納箱１の開封時に第１天面板２及び第２天面板６が撓み易くなり、使用者は内蓋部２０及び外蓋部６０を容易に開閉することができる。また、第２天面板６上に可曲部６１を設けているため、収納箱１の開封時に第２天面板６がより撓み易くなる。
【００６２】
また、第２ハーフカット線２２は波形に形成されるため、開封時に第２ハーフカット線２２での破断により生じる開口面１０ａの周縁２２ａが波形に形成される。これにより、胴部１０の天面を介して胴部１０内の内容物を取り出す際に使用者の手指の裂傷の虞を回避することができる。
【００６３】
また、第１天面板２上の第１ハーフカット線２１及び第２ハーフカット線２２が外側に凸に形成される。これにより、第１天面板２上の開口面１０ａの周縁２２ａが外側に凸に形成される。したがって、胴部１０の天面を介して胴部１０内の内容物を取り出す際に使用者の手指と第１天面板２との干渉を低減することができ、使用者は内容物を容易に取り出すことができる。
【００６４】
図６はリクローズ時の収納箱１の斜視図を示している。図７は蓋保持部５０の上面断面図を示している。収納箱１の開封時に、前面板３上の上下に延びる第１ハーフカット線２１と第２ハーフカット線２２との間に挿入部３２が形成される。また、接着剤３００で接着される内蓋部２０と外蓋部６０との間の周縁部には隙間部２６が形成される。隙間部２６は摘持部７５に近接して配され、隙間部２６には挿入部３２が挿入される。挿入部３２及び隙間部２６により開封後の内蓋部２０の閉状態を保持する蓋保持部５０が構成される。
【００６５】
使用者は内容物の一部を胴部１０内から取り出した後に、背面板５の上端の折り線１１０を中心に内蓋部２０及び外蓋部６０を前方に向けて回動させる。これにより、開口面１０ａが再び閉じられ、収納箱１がリクローズされる。この時、前面板３上の挿入部３２が隙間部２６に挿入される。これにより、蓋保持部５０によって開封後の内蓋部２０の閉状態が保持される。したがって、開封後に胴部１０内への異物の混入を防止して収納箱１の内容物を容易に保管することができる。
【００６６】
収納箱１のリクローズ後に、使用者が外蓋部６０を把持して背面板５の上端の折り線１１０を中心に上方に回動させると、挿入部３２が隙間部２６から脱出して蓋保持部５０による内蓋部２０の閉状態の保持が解除される。これにより、リクローズされた開口面１０ａが再び開き、使用者は残りの内容物を取り出すことができる。
【００６７】
この時、外蓋部６０が摘持部７５の上方の外面上に突起部７４を有するため、リクローズされた内蓋部２０及び外蓋部６０を開ける際に突起部７４が滑り止めになる。これにより、使用者は内蓋部２０及び外蓋部６０を容易に開くことができる。
【００６８】
胴部１０から内容物が全て取り出された後に、収納箱１の側面部８、９を開いて胴部１０を図４に示すように折り畳み部２３、４５で折り畳んで扁平に押し潰すことにより減容化を図ってゴミ容量を削減することができる。
【００６９】
本実施形態によると、摘持部７５に近接して前面板３上の第１ハーフカット線２１及び第２ハーフカット線２２の下端を含む開封開始部３５の第１ハーフカット線２１と第２ハーフカット線２２との距離Ｄ２が、開封開始部３５を除く第１ハーフカット線２１と第２ハーフカット線２２との距離Ｄ１よりも小さい。これにより、使用者が摘持部７５を摘持して上方に引くと、開封開始部３５の第１ハーフカット線２１と第２ハーフカット線２２との間で容易に剥離が生じる。したがって、収納箱１を容易に開封することができ、収納箱１の利便性を向上させることができる。
【００７０】
また、開封開始部３５を除く第１ハーフカット線２１と第２ハーフカット線２２との間では収納箱１の開封前（例えば内容物の収納時や輸送時等）に第１ハーフカット線２１と第２ハーフカット線２２との間での剥離を防止することができる。したがって、収納箱１のバリア性の低下を防止することができる。
【００７１】
また、開封後の内蓋部２０の閉状態を保持する蓋保持部５０を備えている。これにより、開封後に胴部１０内への異物の混入を防止して内容物を容易に保管することができる。
【００７２】
また、蓋保持部５０は、前面板３上の上下に延びる第１ハーフカット線２１と第２ハーフカット線２２との間に開封により形成される挿入部３２と、内蓋部２０と外蓋部６０との間に形成されて挿入部３２が挿入される隙間部２６とを有する。これにより、部品点数を増やすことなく蓋保持部５０を容易に実現することができる。
【００７３】
また、第１切断部７１を上方に延長した延長線上に第２切断部７２に連結される切込み７３が設けられている。これにより、開封時に摘持部７５を上方に引いた際に被覆板７を第２切断部７２に沿って確実に破断することができる。したがって、第２切断部７２から外れた破断による内蓋部２０及び外蓋部６０の損傷を防止することができる。
【００７４】
また、被覆板７と第２天面板６との境界の両側端部に切欠き部６７が設けられ、第２切断部７２は第１切断部７１の上端と切欠き部６７とを連結する。これにより、第１切断部７１及び第２切断部７２に沿った被覆板７の破断後に第１天面板２上の第１ハーフカット線２１及び第２ハーフカット線２２に沿って第１天面板２が円滑に破断される。したがって、第１ハーフカット線２１及び第２ハーフカット線２２から外れた第１天面板２の破断を防止し、第１天面板２上の第１ハーフカット線２１の外側での孔等の発生を防止することができる。
【００７５】
また、第２ハーフカット線２２は波形に形成されるため、胴部１０内の内容物を天面を介して取り出す際に使用者の手指の裂傷の虞を回避することができる。
【００７６】
また、第１天面板２上の第１ハーフカット線２１及び第２ハーフカット線２２が外側に凸に形成される。これにより、胴部１０内の内容物を天面を介して取り出す際に使用者の手指と第１天面板２との干渉を低減することができ、使用者は内容物を容易に取り出すことができる。
【００７７】
また、前面板３の外面上に摘持部７５に対向する凹部３１を設けている。これにより、使用者は摘持部７５を容易に摘持することができる。したがって、収納箱１の利便性をより向上させることができる。
【００７８】
また、外蓋部６０が摘持部７５の上方の外面上に突起部７４を有する。これにより、リクローズされた内蓋部２０及び外蓋部６０を開ける際に突起部７４が滑り止めになるため、使用者は内蓋部２０及び外蓋部６０を容易に開くことができる。したがって、収納箱１の利便性を一層向上させることができる。
【００７９】
＜第２実施形態＞
次に本発明の第２実施形態について説明する。図８及び図９は第２実施形態の収納箱１の斜視図及び展開図をそれぞれ示している。説明の便宜上、図１〜図７に示す第１実施形態と同様の部分には同一の符号を付している。本実施形態では蓋保持部５０の構成が第１実施形態と異なっている。その他の部分は第１実施形態と同様である。
【００８０】
摘持部７５の下端部には円弧状のハーフカット線７６ａ、７６ｂが形成される。ハーフカット線７６ａは被覆板７の外面側から厚さ方向に途中まで切り込まれる。ハーフカット線７６ｂはハーフカット線７６ａよりも上方で被覆板７の内面側から厚さ方向に途中まで切り込まれる。ハーフカット線７６ｂはハーフカット線７６ａに沿って形成される。
【００８１】
前面板３の凹部３１と第１ハーフカット線２１の下端部との間にはハーフカット線３３ａ、３３ｂが形成される。ハーフカット線３３ａは前面板３の外面側から厚さ方向に途中まで切り込まれる。ハーフカット線３３ｂはハーフカット線３３ａよりも上方で前面板３の内面側から厚さ方向に途中まで切り込まれる。なお、ハーフカット線３３ａ、３３ｂ、７６ａ、７６ｂはバリア層１２（図３参照）には到達しないように形成される。これにより、開封前の収納箱１の内容物に対する防湿性を確保することができる。
【００８２】
図１０はリクローズ時の収納箱１の斜視図を示している。収納箱１の開封後に、使用者がハーフカット線７６ａの近傍で摘持部７５を手指で押圧すると、ハーフカット線７６ａ、７６ｂ間で剥離して差込片７６が内面側に向かって切り起される。また、ハーフカット線３３ａ、３３ｂ間の前面板３を使用者が手指で押圧すると、ハーフカット線３３ａ、３３ｂ間の剥離によりスリット３３が形成される。差込片７６及びスリット３３により蓋保持部５０が構成される。使用者が差込片７６をスリット３３に差し込むことにより内蓋部２０の閉状態が保持される。これにより、収納箱１の開封後に胴部１０内への異物の混入を防止して胴部１０内の内容物を容易に保管することができる。
【００８３】
なお、本実施形態でも第１実施形態と同様の効果を得ることができる。
【００８４】
＜第３実施形態＞
次に本発明の第３実施形態について説明する。図１１及び図１２は第３実施形態の収納箱１の斜視図及び展開図をそれぞれ示している。説明の便宜上、図１〜図７に示す第１実施形態と同様の部分には同一の符号を付している。本実施形態では蓋保持部５０の構成が第１実施形態と異なっている。その他の部分は第１実施形態と同様である。
【００８５】
摘持部７５の基部７５ａの下端部には両側方に突出する突出部７５ｂが設けられる。また、前面板３には基部７５ａの近傍で基部７５ａに対向する領域を挟むように２つの凹部３４が凹設される。凹部３４の下端は被覆板７の下端よりも下方に配される。突出部７５ｂ及び凹部３４により蓋保持部５０が構成される。
【００８６】
収納箱１の開封後に、図１３に示すように、使用者が突出部７５ｂを被覆板７と凹部３４との間に差し込むことによって内蓋部２０の閉状態が保持される。これにより、収納箱１の開封後に胴部１０内への異物の混入を防止して胴部１０内の内容物を容易に保管することができる。
【００８７】
なお、本実施形態でも第１実施形態と同様の効果を得ることができる。
【００８８】
＜第４実施形態＞
次に本発明の第４実施形態について説明する。図１４は第４実施形態の開封前の収納箱１の斜視図を示している。説明の便宜上、図１〜図７に示す第１実施形態と同様の部分には同一の符号を付している。本実施形態では蓋保持部５０の構成が第１実施形態と異なっている。その他の部分は第１実施形態と同様である。
【００８９】
摘持部７５の両側端部には切欠き部７８が設けられる。収納箱１の開封後に、図１５に示すように、使用者が切欠き部７８に挿入部３２を差し込むことによって内蓋部２０の閉状態が保持される。この時、摘持部７５の先端部（下端部）は前面板３の内面側（胴部１０の内部）に配される。これにより、収納箱１の開封後に胴部１０内への異物の混入を防止して胴部１０内の内容物を容易に保管することができる。
【００９０】
なお、本実施形態でも第１実施形態と同様の効果を得ることができる。
【００９１】
＜第５実施形態＞
次に本発明の第５実施形態について説明する。図１６は第５実施形態の開封前の収納箱１の斜視図を示している。説明の便宜上、図１〜図７に示す第１実施形態と同様の部分には同一の符号を付している。本実施形態では蓋保持部５０の構成が第１実施形態と異なっている。その他の部分は第１実施形態と同様である。
【００９２】
摘持部７５の下端部の内面には剥離紙（不図示）で覆われた両面粘着テープ７９が設けられる。両面粘着テープ７９により蓋保持部５０が構成される。収納箱１の開封後に剥離紙を剥がし、両面粘着テープ７９を前面板３に接着させることによって内蓋部２０の閉状態が保持される。これにより、収納箱１の開封後に胴部１０内への異物の混入を防止して胴部１０内の内容物を容易に保管することができる。なお、両面粘着テープ７９を摘持部７５に替えて前面板３の摘持部７５に対向する位置に配してもよい。
【００９３】
なお、本実施形態でも第１実施形態と同様の効果を得ることができる。
【００９４】
また、第１実施形態〜第５実施形態において、収納箱１の胴部１０の水平断面形状は矩形に限定されず、例えば六角形などの多角形でもよい。
【００９５】
また、第１実施形態〜第５実施形態において、第２天面板６から可曲部６１を省いてもよい。また、底面板４を複数のフラップにより形成してもよい。
【産業上の利用可能性】
【００９６】
本発明は、前面上部及び天面の破断により開封される収納箱に利用可能である。
【符号の説明】
【００９７】
１    収納箱
２    第１天面板
３    前面板
４    底面板（底面部）
５    背面板
６    第２天面板
７    被覆板
８、９    側面部
１０    胴部
１１    外側基材層
１２    バリア層
１３    内側基材層
２０    内蓋部
２１    第１ハーフカット線
２２    第２ハーフカット線
２６    隙間部
３１    凹部
３２    挿入部
３５    開封開始部
５０    蓋保持部
６０    外蓋部
６７    切欠き部
７１    第１切断部
７２    第２切断部
７３    切込み
７４    突起部
７５    摘持部
８２、８３、８４、８５、９２、９３、９４、９５    側面フラップ
１００    ブランク板
１１０    折り線
１２０    凸部
１３０、１３１    接着剤保持部
【図１】
0006702150.tif 000002
【図２】
0006702150.tif 000003
【図３】
0006702150.tif 000004
【図４】
0006702150.tif 000005
【図５】
0006702150.tif 000006
【図６】
0006702150.tif 000007
【図７】
0006702150.tif 000008
【図８】
0006702150.tif 000009
【図９】
0006702150.tif 000010
【図１０】
0006702150.tif 000011
【図１１】
0006702150.tif 000012
【図１２】
0006702150.tif 000013
【図１３】
0006702150.tif 000014
【図１４】
0006702150.tif 000015
【図１５】
0006702150.tif 000016
【図１６】
0006702150.tif 000017